(57)【要約】【課題】多様な設計を可能にするとともに、カメラ全体の小型化及び製造コストの抑制を図る。【解決手段】撮像光を取り込む撮像レンズ１０と、複数のレンズ１３，１３からなり、焦点距離を調整するズームレンズ群１４と、一のレンズ２５からなり、焦点を調整するフォーカスレンズ群２６との間に、撮像光を反射することによって撮像光の光軸Ｌを折曲する反射面１２を有するプリズム１１及び反射面２３，２４を有するプリズム２２をそれぞれ配設し、入射する撮像光の光軸Ｌを少なくとも２回折曲する。【選択図】図４
2006171449.tif 000002
【特許請求の範囲】
【請求項１】
撮像光を取り込む一又は複数のレンズからなる撮像レンズと、
一又は複数のレンズからなり、焦点距離を調整するズームレンズ群と、
一又は複数のレンズからなり、焦点を調整するフォーカスレンズ群と、
前記ズームレンズ群のレンズ及び前記フォーカスレンズ群のレンズを駆動する一又は複数の移動軸と、
撮像光の光量を調整する絞り部と、
撮像した画像を電気信号に変換する撮像素子と、
前記撮像光を反射する反射面を備え、前記撮像光の光軸を折曲する複数の反射部材とを具備し、
前記複数の反射部材は、前記撮像レンズと、前記ズームレンズ群と、前記フォーカスレンズ群との間に配設され、前記撮像光の光軸を少なくとも２回折曲することを特徴とする撮像装置。
【請求項２】
前記絞り部は、一の反射部材と、他の反射部材との間に配設されていることを特徴とする請求項１に記載の撮像装置。
【請求項３】
前記反射部材は、複合プリズムからなり、前記撮像光の光軸を横方向及び上下方向に折曲することを特徴とする請求項１又は請求項２に記載の撮像装置。
【請求項４】
前記反射部材は、前記撮像光が入射する面及び前記撮像光を出射する面が略曲面状に形成され、内部に前記撮像光を反射する反射面を有するプリズムからなることを特徴とする請求項１又は請求項２に記載の撮像装置。
【請求項５】
前記反射部材は、略曲面状に形成された鏡面部材からなることを特徴とする請求項１又は請求項２に記載の撮像装置。
【請求項６】
前記反射部材は、光軸方向に沿って移動自在であることを特徴とする請求項１から請求項５のいずれか一項に記載の撮像装置。
【請求項７】
前記反射部材は、前記撮像光を反射する反射部と、前記撮像光の反射を防止する反射防止部とを具備することを特徴とする請求項１又は請求項２に記載の撮像装置。
【請求項８】
前記反射部は、大きさの異なる複数の反射面からなり、
前記反射部材は、前記撮像光の光軸に対して所定の角度を形成する方向に移動自在であることを特徴とする請求項７に記載の撮像装置。
【請求項９】
前記複数の反射面は、反射面毎に反射率が異なることを特徴とする請求項８に記載の撮像装置。
【請求項１０】
前記反射部材は、当該反射部材の一部に傾斜面が形成されていることを特徴とする請求項１又は請求項２に記載の撮像装置。
【請求項１１】
前記撮像素子は、光軸方向に沿って移動自在であることを特徴とする請求項１から請求項１０のいずれか一項に記載の撮像装置。
【請求項１２】
前記レンズは、径方向に対向する両側を切断した形状であることを特徴とする請求項１から請求項１１のいずれか一項に記載の撮像装置。
【請求項１３】
前記レンズは、略正方形状であることを特徴とする請求項１から請求項１２のいずれか一項に記載の撮像装置。
【請求項１４】
前記移動軸は、２本の移動軸からなり、水平面内において、前記ズームレンズ群のレンズの光軸と、前記フォーカスレンズ群のレンズの光軸とを結ぶ直線に対して、一の移動軸の中心と、他の移動軸の中心とを結ぶ直線が直交するように配設されていることを特徴とする請求項１から請求項１３のいずれか一項に記載の撮像装置。
【請求項１５】
前記移動軸は、１本の移動軸からなり、前記ズームレンズ群のレンズ及び前記フォーカスレンズ群のレンズを駆動させることを特徴とする請求項１から請求項１３のいずれか一項に記載の撮像装置。
【請求項１６】
請求項１から請求項１５のいずれか一項に記載された撮像装置を具備することを特徴とする電子カメラ。
【発明の詳細な説明】
【技術分野】
【０００１】
本発明は、撮像装置及び電子カメラに係り、特に、撮影光の光軸を折曲させる反射部材を具備する撮像装置及電子カメラに関する。
【背景技術】
【０００２】
近年、銀塩フィルムを用いた一般的なカメラに代替して、フィルムの代わって撮像素子であるＣＣＤ（Charged Coupled Device）や、ＣＭＯＳ（Complementary Metal Oxide Semiconductor）を用いて画像を記録する電子カメラが盛んに使用されている。電子カメラには、図２１に示すように、撮像画像を画像情報に変換するための撮像装置１００が具備されている。このような撮像装置１００には、カメラ本体における前面から背面にかけて、撮像レンズ１０１、複数枚のレンズからなるズームレンズ群１０２、透過孔１０３が穿設されたスリット１０４からなる絞り部１０５、１枚のレンズからなるフォーカスレンズ群１０６、撮像素子１０７と順次配設されている。
【０００３】
これら撮像装置１００の構成部品のうち、撮像素子１０７は、その大きさが通常のカメラに使用される銀塩フィルムと比較して１／４〜１／２０程度と小さいため、レンズの焦点距離の短縮とともに、カメラ本体の大きさの小型化を図ることが可能である。このような撮像素子１０７の前面側に配設されたズームレンズ群１０２は、収差の補正及び焦点距離の調節を行うために、複数枚のレンズ、いわゆる撮影光学系からなり、これら撮像光学系を介して撮像画像が撮像光として入射されるようになっている。
【０００４】
しかし、一般的なカメラの撮影光学系は、撮像光の光軸Ｌがカメラ本体における前後方向、すなわち、厚さ方向と一致するように配設されており、撮影光学系の全長がカメラ本体の厚さ寸法を決定する主な要因となっている。このため、撮影光学系の全長が長い程、カメラ本体の厚さ寸法が大きくなり、特に、ズームレンズ群１０２においては、使用されるレンズの枚数が多くなるため、撮影光学系の全長も長くなってしまい、カメラ本体の厚さ寸法が大きくなってしまうという問題が生じていた。
【０００５】
そこで、小型化を図りつつ、良好な光学特性の維持を図ることが可能なプリズムレンズとして、カメラ本体の光入射部の近傍に配置された反射面を有する部材により、反射後における撮像光の光軸Ｌを前記カメラ本体の左右方向、すなわち、幅方向Ｘに折曲させるプリズムレンズが開発されている（例えば、特許文献１参照）。
【特許文献１】特開２００２−３６５７０８号公報
【発明の開示】
【発明が解決しようとする課題】
【０００６】
しかしながら、上述したプリズムレンズの場合、撮像光の光軸Ｌをカメラ本体の幅方向Ｘに折曲させることによって、撮像装置の厚さ寸法を小さくすることにより、カメラ本体の小型化を図ることは可能であるが、撮像光の光軸Ｌをカメラ本体の幅方向Ｘに折曲させることで、幅方向Ｘの光軸長が長くなってしまい、カメラ全体の小型化が困難であるとともに、設計上における種々の制約が課されてしまうといった問題が生じている。
【０００７】
また、フォーカスレンズ群１０６の前面側に配設された絞り部１０５は、スリット１０４を動作制御させる構造であるため、Ｆ（Focus）ナンバーに応じた制御精度が必要となり、絞り部１０５の構造が複雑になるといった問題が生じていた。
さらに、絞り部１０５の動作制御によって撮像光の光量を調整する場合には、ＮＤ（Neutral Density）フィルターをズームレンズ群１０２と、フォーカスレンズ群１０６との間に出し入れする構造に設計する必要が生ずるため、撮像装置１００の構造が複雑になるとともに、高価なＮＤフィルターを用いることで、製造コストが増大するといった問題も生じている。
【０００８】
本発明は前記した点に鑑みてなされたものであり、多様な設計を可能にするとともに、カメラ全体の小型化及び製造コストの抑制を図ることが可能な撮像装置及び電子カメラを提供することを目的とする。
【課題を解決するための手段】
【０００９】
以上の課題を解決するために、請求項１に記載の発明に係る撮像装置は、
撮像光を取り込む一又は複数のレンズからなる撮像レンズと、
一又は複数のレンズからなり、焦点距離を調整するズームレンズ群と、
一又は複数のレンズからなり、焦点を調整するフォーカスレンズ群と、
前記ズームレンズ群のレンズ及び前記フォーカスレンズ群のレンズを駆動する一又は複数の移動軸と、
撮像光の光量を調整する絞り部と、
撮像した画像を電気信号に変換する撮像素子と、
前記撮像光を反射する反射面を備え、前記撮像光の光軸を折曲する複数の反射部材とを具備し、
前記複数の反射部材は、前記撮像レンズと、前記ズームレンズ群と、前記フォーカスレンズ群との間に配設され、前記撮像光の光軸を少なくとも２回折曲することを特徴とする。
【００１０】
請求項２に記載の発明に係る撮像画像は、前記絞り部が、一の反射部材と、他の反射部材との間に配設されていることを特徴とする。
【００１１】
請求項３に記載の発明に係る撮像画像は、前記反射部材が、複合プリズムからなり、前記光軸を横方向及び上下方向に折曲することを特徴とする。
【００１２】
請求項４に記載の発明に係る撮像画像は、前記反射部材が、前記撮像光が入射する面及び前記撮像光を出射する面が略曲面状に形成され、内部に前記撮像光を反射する反射面を有するプリズムからなることを特徴とする。
【００１３】
請求項５に記載の発明に係る撮像画像は、前記反射部材が、略曲面状に形成された鏡面部材からなることを特徴とする。
【００１４】
請求項６に記載の発明に係る撮像画像は、前記反射部材が、光軸方向に沿って移動自在であることを特徴とする。
【００１５】
請求項７に記載の発明に係る撮像画像は、前記反射部材が、前記撮像光を反射する反射部と、前記撮像光の反射を防止する反射防止部とを具備することを特徴とする。
【００１６】
請求項８に記載の発明に係る撮像画像は、前記反射部が、大きさの異なる複数の反射面からなり、前記反射部材が、前記撮像光の光軸に対して所定の角度を形成する方向に移動自在であることを特徴とする。
【００１７】
請求項９に記載の発明に係る撮像画像は、前記複数の反射面が、反射面毎に反射率が異なることを特徴とする。
【００１８】
請求項１０に記載の発明に係る撮像画像は、前記反射部材が、当該反射部材の一部に傾斜面が形成されていることを特徴とする。
【００１９】
請求項１１に記載の発明に係る撮像画像は、前記撮像素子が、光軸方向に沿って移動自在であることを特徴とする。
【００２０】
請求項１２に記載の発明に係る撮像画像は、前記レンズが、径方向に対向する両側を切断した形状であることを特徴とする。
【００２１】
請求項１３に記載の発明に係る撮像画像は、前記レンズが、略正方形状であることを特徴とする。
【００２２】
請求項１４に記載の発明に係る撮像画像は、前記移動軸が、２本の移動軸からなり、水平面内において、前記ズームレンズ群のレンズの光軸と、前記フォーカスレンズ群のレンズの光軸とを結ぶ直線に対して、一の移動軸の中心と、他の移動軸の中心とを結ぶ直線が直交するように配設されていることを特徴とする。
【００２３】
請求項１５に記載の発明に係る撮像画像は、前記移動軸が、１本の移動軸からなり、前記ズームレンズ群のレンズ及び前記フォーカスレンズ群のレンズを駆動させることを特徴とする。
【００２４】
請求項１６に記載の発明に係る電子カメラは、請求項１から請求項１５のいずれか一項に記載された撮像装置を具備することを特徴とする。
【発明の効果】
【００２５】
本発明によれば、撮像光を取り込む一又は複数のレンズからなる撮像レンズと、一又は複数のレンズからなり、焦点距離を調整するズームレンズ群と、一又は複数のレンズからなり、焦点を調整するフォーカスレンズ群と、ズームレンズ群のレンズ及びフォーカスレンズ群のレンズを駆動する一又は複数の移動軸と、撮像光の光量を調整する絞り部と、撮像した画像を電気信号に変換する撮像素子と、撮像光を反射する反射面を備え、撮像光の光軸を折曲する複数の反射部材とを具備し、複数の反射部材が、撮像レンズと、ズームレンズ群と、フォーカスレンズ群との間に配設され、撮像光の光軸を少なくとも２回折曲するので、撮像装置における幅方向の光軸長の短縮のみならず、高さ方向の光軸長の短縮を図ることが可能となり、これによって、多様な設計を可能にするとともに、カメラ全体の小型化及び製造コストの抑制を図ることができる。
【００２６】
また、径寸法の異なる複数の反射部を具備する反射部材が移動自在となっているので、任意に設定された絞り値に基づいて反射部材を移動させることによって最適な反射部を選択する、すなわち、反射部材が絞り部の機能を併せて有することで、撮像装置から絞り部及びＮＤフィルターを排除することが可能となり、これによって、多様な設計を可能にするとともに、カメラ全体の小型化及び製造コストの抑制を図る。
【発明を実施するための最良の形態】
【００２７】
以下、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
図１から図１０を参照しながら、第１実施形態における撮像装置１及び電子カメラ２について説明する。
図１に示すように、本実施形態における電子カメラ２には、略直方体状の筐体３が具備されており、この筐体３の上面側には、押動自在な釦スイッチにより構成され、撮影モード時には、押動操作によって撮影動作を指示するシャッタ釦４が設けられている。
【００２８】
また、筐体３の背面側には、図２に示すように、ＬＣＤ（Liquid Crystal Display）等により構成され、撮影モード時には、電子ファインダとして被写体や、撮影条件等の撮影情報又は設定情報の各種情報が表示され、再生モード時には、各種案内画面若しくは指示画面又は選択した画像が表示される表示部５と、一定方向に移動自在なスライドスイッチにより構成され、スライド操作によって各種モードに切替えるモード切替部６と、十字方向に押動自在な十字キーにより構成され、押動操作によって各種案内若しくは指示画面におけるコマンドの選択をする操作部７と、撮像する画像の構図や、焦点距離等の各種情報が表示される光学ファインダ８とがそれぞれ配設されている。
【００２９】
一方、筐体３の正面側には、図３に示すように、撮像装置１と、閃光放電管（図示せず）等を具備し、上述したシャッタ釦４の押動操作による撮影動作と同時に閃光を発光する閃光発光装置９とがそれぞれ配設されている。
【００３０】
このうち、撮像装置１の構成部品であって、筐体３の正面側には、図４に示すように、略円形状に成型された撮像レンズ１０が設けられている。これら撮像レンズ１０は、また、筐体３の内部であって、撮像レンズ１０の背面側には、図５に示すように、反射部材である略三角柱状のプリズム１１が設けられている。このプリズム１１の直角部と対向する斜辺側の面には、金属を蒸着させることによって形成された反射面１２が設けられており、反射面１２に撮像光が照射されると、撮像光が反射して、撮像光の光軸Ｌが折曲されるようになっている。
なお、本実施形態における撮像装置１には、１枚の撮像レンズ１０が具備されているが、特に限定されるものではなく、複数枚の撮像レンズが具備されていてもよい。
【００３１】
プリズム１１の一面の下方には、略円形状に成型された複数枚のレンズ１３，１３によって構成されたズームレンズ群１４が配設されており、互いの面が平行となるように、筐体３の上下方向、すなわち、高さ方向Ｘに沿って配設されている。各レンズ１３，１３は、図６に示すように、レンズの形状に応じたレンズ保持部１５によって保持されている。このレンズ保持部１５には、突出片１６，１６が延設されており、各突出片１６，１６には、高さ方向Ｘに延在する円柱状の長尺な第１移動軸１７及び第１案内軸１８がそれぞれ挿通されている。このように構成されたレンズ保持部１５は、第１案内軸１８にガイドされながら、図示しない駆動機構の駆動することにより、高さ方向Ｘに移動自在となっている。
なお、本実施形態におけるズームレンズ群１４には、複数枚のレンズ１３，１３によって構成されているが、特に限定されるものではなく、１枚のレンズによって構成されていてもよい。
【００３２】
ズームレンズ群１４に具備されたレンズのうち、下方側に配置されたレンズ１３の下方には、図４及び図５に示すように、透過孔１９が穿設されたスリット２０からなる絞り部２１が設けられており、スリット２０は、任意に設定されるＦナンバーに応じて駆動する図示しない駆動機構により、回転自在となっている。
【００３３】
この絞り部２１の下方には、略三角柱状のプリズム２２が設けられている。このプリズム２２の直角部を挟む両辺側の面には、反射面２３，２４が具備されており、プリズム２２に入射した撮像光は、一の反射面２３によって反射されて、撮像光の光軸Ｌに対して９０°の角度に折曲される。その後、他の反射面２４に向かって照射され、この反射面２４により、撮像光の光軸Ｌに対して９０°の角度に折曲されるようになっている。したがって、プリズム２２の内部において、撮像光の光軸Ｌは、２回折曲されるようになっている。
また、プリズム２２は、図示しない駆動機構によって、高さ方向Ｘに対して移動自在となっている。
【００３４】
プリズム２２の上方には、略円形状に成型された１枚のレンズ２５によって構成されたフォーカスレンズ群２６が設けられており、レンズ２５の一面と、プリズム１１の斜面とが平行となるように、かつ、フォーカスレンズ群２６のレンズ２５の光軸と、上述したズームレンズ群１４の各レンズ１３，１３の光軸とが平行となるように配置されている。
なお、本実施形態におけるフォーカスレンズ群２６には、１枚のレンズによって構成されているが、特に限定されるものではなく、複数枚のレンズによって構成されていてもよい。
【００３５】
また、フォーカスレンズ群２６のレンズ２５は、上述したズームレンズ群１４のレンズ１３，１３と同様、レンズの形状に応じたレンズ保持部２７によって保持されている。このレンズ保持部２７は、図６に示すように、突出片２８，２８が延設されており、各突出片２８，２８には、高さ方向Ｘに延在する円柱状の長尺な第２移動軸２９及び第２案内軸３０がそれぞれ挿通されている。このように構成されたレンズ保持部２７は、第２案内軸３０にガイドされながら、図示しない駆動機構の駆動により、高さ方向Ｘに移動自在となっている。
【００３６】
なお、ズームレンズ群１４及びフォーカスレンズ群２６における各レンズ１３，１４，２５は、後述するＣＣＤ３１に照射される撮像光の撮像範囲Ｇがカバーできれば何れの形状でもよく、略円形状に限定されず、特に、図７に示すように、径方向に対向する両側が切断されたような形状や、図８に示すように、略正方形状のレンズであることが好ましい。
【００３７】
なお、第１移動軸１７及び第２移動軸２９は、図９に示すように、水平面内において、ズームレンズ群１４のレンズ１３の光軸と、フォーカスレンズ群２６のレンズ２５の光軸とを結ぶ直線に対して、第１移動軸１７の中心と、第２移動軸２９の中心とを結ぶ直線が直交するように配置されていることが好ましい。
【００３８】
また、第１移動軸１７及び第２移動軸２９は、それぞれ別個に独立して配設されているが、ズームレンズ群１４及びフォーカスレンズ群２６における各レンズ保持部１５，２７を所定の範囲で移動させることが可能であればよく、図１０に示すように、１本の共有移動軸３２を用いることで各レンズ保持部１５，２７を移動するようになっていてもよい。
【００３９】
フォーカスレンズ群２６の上方には、撮像素子である平板状のＣＣＤ３１が設けられており、ＣＣＤ３１の一面と、フォーカスレンズ群２６のレンズ２５の一面とが平行となるように配置されている。このＣＣＤ３１は、撮像光の光量に基づいて電気信号に変換するようになっている。
また、ＣＣＤ３１には、図示しない駆動機構の駆動により、高さ方向Ｘに移動自在となっている。
【００４０】
次に、本実施形態における撮像装置１及び電子カメラ２の作用について説明する。
まず始めに、撮影前の準備として、モード切替部６を操作することにより、「設定モード」に切り替えた後、例えば、発光条件を「強制発光」、「発光禁止」又は「オート発光」の何れかを選択する等、各種撮影条件が設定される。
【００４１】
次に、再びモード切替部６を操作することにより、「撮影モード」に切り替えた後、光学ファインダ８及び表示部５に表示されたスルー画像に基づいて筐体３を動かすことにより、視点を調整させる。そして、所望の画像が光学ファインダ８又は表示部５に表示された瞬間に、使用者によってシャッタ釦４が押動されることより、撮像装置１によって撮影された画像データが、図示しない制御部を介して表示部５に出力されると共に、内蔵された記憶部又は装着された着脱自在な記録媒体（共に図示せず）に記憶され、一連の撮影動作が完了する。
【００４２】
このとき、撮像装置１においては、シャッタ釦４が押動されると同時に、シャッタ（図示せず）が開かれて、撮像レンズ１０を介して撮像装置１に撮像光が入射される。この撮像光は、プリズム１１の反射面１２によって光軸Ｌが下方に折曲される。その後、ズームレンズ群１４に備えられた各レンズ１３，１３を介して、プリズム２２に入射され、プリズム２２に形成された一の反射面２３によって反射されて、カメラ本体の長手方向、すなわち、幅方向Ｙに光軸Ｌが折曲される。さらに、反射された撮像光は、プリズム２２に形成された他の反射面２４によって反射されて、高さ方向Ｘに光軸Ｌが折曲される。高さ方向Ｘに出射された撮像光は、最終的に、フォーカスレンズ群２６のレンズ２５を介して、ＣＣＤ３１に入射されて、一連の撮像動作が完了する。
すなわち、撮像装置１における撮像光の光軸Ｌは、プリズム２２の反射面２３，２４により、略Ｕ字状に折曲されているため、幅方向Ｙの光軸長の短縮とともに、高さ方向Ｘの光軸長の短縮を図ることができる。
【００４３】
また、プリズム２２及びＣＣＤ３１が移動可能となっているので、プリズム２２及びＣＣＤ３１を移動させることで、光軸長を伸縮させることができる。
【００４４】
さらに、ズームレンズ群１４及びフォーカスレンズ群２６における各レンズ１３，１３，２５が、レンズの縁端部が切断された形状に成型されることで、図６に示すような構成である場合と比較すると、水平面内におけるズームレンズ群１４のレンズ１３と、フォーカスレンズ群２６のレンズ２５との間の距離を短縮することができる。
【００４５】
さらに、ズームレンズ群１４及びフォーカスレンズ群２６における各レンズ１３，１３，２５が、略正方形状に成型されることで、水平面内におけるズームレンズ群１４のレンズ１３と、フォーカスレンズ群２６のレンズ２５との間の距離を短縮することができる。
【００４６】
さらに、水平面内において、ズームレンズ群１４のレンズ１３の光軸と、フォーカスレンズ群２６のレンズ２５の光軸とを結ぶ直線に対して、第１移動軸１７の中心と、第２移動軸２９の中心とを結ぶ直線が直交するように配設されることで、水平面内におけるズームレンズ群１４のレンズ１３と、フォーカスレンズ群２６のレンズ２５との間の距離を短縮することができる。
【００４７】
さらに、ズームレンズ群１４及びフォーカスレンズ群２６における各レンズ１３，１３，２５が、１本の移動軸３２を共有することで、使用される移動軸の本数を低減することができる。
【００４８】
以上より、本実施形態における撮像装置１によれば、撮像光を取り込む撮像レンズ１０と、レンズ１３，１３からなり、焦点距離を調整するズームレンズ群１４と、レンズ２５からなり、焦点を調整するフォーカスレンズ群２６と、ズームレンズ群１４のレンズ１３，１３及びフォーカスレンズ群２６のレンズ２５を駆動する移動軸１７，２９と、撮像光の光量を調整する絞り部２１と、撮像した画像を電気信号に変換するＣＣＤ３１と、撮像光を反射することによって撮像光の光軸Ｌを折曲する反射面１２を有するプリズム１１及び反射面２３，２４を有するプリズム２２を具備し、これらプリズム１１，２２が、撮像レンズ１０と、ズームレンズ群１４と、フォーカスレンズ群２６との間にそれぞれ配設され、撮像光の光軸Ｌを計３回折曲するので、撮像装置１における幅方向Ｙの光軸長とともに、高さ方向Ｘの光軸長の短縮を図ることが可能となり、これによって、多様な設計を可能にするとともに、電子カメラ２の小型化を図ることができる。
【００４９】
また、プリズム２２及びＣＣＤ３１が移動可能となっているので、プリズム２２及びＣＣＤ３１を移動させることで、光軸長を伸縮させることが可能となり、これによって、撮影上における自由度の増大を図ることができる。
【００５０】
さらに、ズームレンズ群１４及びフォーカスレンズ群２６における各レンズ１３，１３，２５が、レンズの縁端部が切断された形状に成型されることで、水平面内におけるズームレンズ群１４のレンズ１３と、フォーカスレンズ群２６のレンズ２５との間の距離を短縮することが可能となり、これによって、多様な設計を可能にするとともに、電子カメラ２の小型化を図ることができる。
【００５１】
さらに、ズームレンズ群１４及びフォーカスレンズ群２６における各レンズ１３，１３，２５が、略正方形状に成型されることで、水平面内におけるズームレンズ群１４のレンズ１３と、フォーカスレンズ群２６のレンズ２５との間の距離を短縮することが可能となり、これによって、多様な設計を可能にするとともに、電子カメラ２の小型化を図ることができる。
【００５２】
さらに、水平面内において、ズームレンズ群１４のレンズ１３の光軸と、フォーカスレンズ群２６のレンズ２５の光軸とを結ぶ直線に対して、第１移動軸１７の中心と、第２移動軸２９の中心とを結ぶ直線が直交するように配設されることで、水平面内におけるズームレンズ群１４のレンズ１３と、フォーカスレンズ群２６のレンズ２５との間の距離を短縮することが可能となり、これによって、撮像装置１の小型化を図ることができる。
【００５３】
さらに、ズームレンズ群１４及びフォーカスレンズ群２６における各レンズ１３，１３，２５が、１本の移動軸３２を共有することで、使用される移動軸の本数を低減することが可能となり、これによって、多様な設計を可能にするとともに、電子カメラ２の小型化を図ることができる。
【００５４】
次に、第２実施形態について説明する。
本実施形態においては、１つのプリズム２２に代替して、２つのプリズム４０，４１を用いることにより、撮像装置１の構成が略Ｕ字状となるように設計されている。
以下、図１１を参照しながら、第２実施形態について説明する。ただし、本実施形態は、上述した第１実施形態と比較すると、プリズム４０，４１及び絞り部４２の構成のみが相違し、それ以外の構成部品については、第１実施形態と同様である。そこで、本実施形態においては、プリズム４０，４１及び絞り部４２の構成を中心とした説明を行い、第１実施形態と同様の構成には、同様の符号を付してその詳細な説明を省略する。
【００５５】
本実施形態における撮像装置１には、図１１に示すように、ズームレンズ群１４及びフォーカスレンズ群２６の下方に、第１プリズム４０と、第２プリズム４１とが、離間して配設されている。第１及び第２プリズム４０，４１の一面には、金属等が蒸着された反射面４３，４４がそれぞれ形成されており、撮像光を反射するようになっている。
また、第１プリズム４０と、第２プリズム４１との間には、透過孔４５が穿設されたスリット４６からなる絞り部４２が設けられている。
【００５６】
以上より、本実施形態における撮像装置１によれば、第１プリズム４０と、第２プリズム４１との間に絞り部４２が配設され、撮像光の光軸Ｌを略Ｕ字状に折曲するので、撮像装置１における幅方向Ｙの光軸長及び高さ方向Ｘの光軸長の短縮を図るとともに、絞り部４２の配置位置を変更することが可能となり、これによって、実施形態と同様に、多様な設計を可能にするとともに、電子カメラ２の小型化を図ることができる。
【００５７】
さらに、第３実施形態について説明する。
第１実施形態においては、プリズム２２を用いることにより、撮像装置１の構成が略Ｕ字状となるように設計されているが、本実施形態においては、撮像装置１が具備される電子カメラ２の構成を考慮して、撮像装置１の内部構成が略Ｌ字状となるように設計されている。
以下、図１２から図１４を参照しながら、第３実施形態について説明する。ただし、本実施形態は、上述した第１実施形態と比較すると、プリズム５０の構成のみが相違し、それ以外の構成部品については、第１実施形態と同様である。そこで、本実施形態においては、プリズム５０の構成を中心とした説明を行い、第１実施形態と同様の構成には、同様の符号を付してその詳細な説明を省略する。
【００５８】
本実施形態における撮像装置１は、図１２に示すように、ズームレンズ群１４及び絞り部２１の下方に、反射部材である略三角柱状のプリズム５０が配設されている。このプリズム５０は、直角部と対向する辺側の面に反射面５１が形成されており、撮像光が反射されて、幅方向Ｙに撮像光の光軸Ｌを折曲させるようになっている。
【００５９】
なお、この場合に使用されるプリズム５０は、図１３に示すように、直角部を挟む２辺側の面５２，５３が略曲面状に形成されたプリズム５４であってもよい。また、プリズムレンズ５０に代わって、図１４に示すように、略曲面状に形成された鏡面部材５５が用いられていてもよい。これらプリズム５４又は鏡面部材５５によって、ズームレンズ群１４及びフォーカスレンズ群２６のレンズ１３，１３，２５の曲率を填補することで、多種のレンズを適用することができる。
【００６０】
以上より、本実施形態における撮像装置１によれば、プリズム５０が、撮像光の光軸Ｌを略Ｌ字状に折曲するので、電子カメラ２の形状に応じて撮像装置１の形状を設計変更することが可能となり、これによって、多様な設計を可能にするとともに、電子カメラ２の小型化を図ることができる。
【００６１】
また、直角部を挟む２辺側の面５２，５３が略曲面状に形成されたプリズム５４や、略曲面状に形成された鏡面部材５５を用いることで、ズームレンズ群１４及びフォーカスレンズ群２６のレンズ１３，１３，２５の曲率を填補して、多種のレンズを適用することが可能となり、これによって、製造コストの抑制を図ることができる。
【００６２】
さらに、第４実施形態について説明する。
第２実施形態と同様に、撮像装置１が具備される電子カメラ２の構成を考慮して、本実施形態においては、図１５及び図１６に示すように、撮像装置１の内部構成を、略Ｕ字状と、略Ｌ字状とを組み合わせた形状となるように設計されている。
以下、図１５及び図１６を参照しながら、第４実施形態について説明する。ただし、本変形例は、上述した第１実施形態と比較すると、複合プリズム６０の構成のみが相違し、それ以外の構成部品については、第１実施形態と同様である。そこで、本実施形態においては、複合プリズム６０の構成を中心とした説明を行い、第１実施形態と同様の構成には、同様の符号を付してその詳細な説明を省略する。
【００６３】
本実施形態における撮像装置１は、図１５に示すように、反射部材として、上部プリズム６１と、下部プリズム６２とを組み合わせた複合プリズム６０が用いられている。
上部プリズム６１は、第１実施形態におけるプリズム２０と同様に、略三角柱状に成型されている。この上部プリズム６１の直角部を挟む２辺側の面には、反射面６３，６４が形成されており、撮像光を反射させて、撮像光の光軸Ｌを折曲するようになっている。また、上部プリズム６１の直角部と対向する一辺側の面には、下部プリズム６２の一面が接合されている。
下部プリズム６２は、略四角柱状に成型されている。この下部プリズム６２の両面には、図１６に示すように、反射面６５，６６が形成されており、撮像光を反射させて、撮像光の光軸Ｌを折曲するようになっている。
このように構成された複合プリズム６０によって、ズームレンズ群１４を介して入射される撮像光を複合プリズム６０の内部で複数回反射させて、撮像光の光軸Ｌを折曲させた後に、フォーカスレンズ群２６に出射させるようになっている。
【００６４】
次に、本実施形態における撮像装置１の作用について説明する。
ズームレンズ群１４を介して上方から入射される撮像光は、複合プリズム６０における上部プリズム６１の一の反射面６３によって反射されて、幅方向Ｙに光軸Ｌが折曲される。そして、反射後の撮像光は、上部プリズム６１の他の反射面６４によって反射されて、上方に光軸Ｌが折曲され、接合された下部プリズム６２に入射される。
さらに、下部プリズム６２に入射した撮像光は、下部プリズム６２の一の反射面６５によって反射されて、電子カメラ２の奥行き方向、すなわち、厚さ方向Ｚに光軸Ｌが折曲される。そして、反射後の撮像光は、下部プリズム６２の他の反射面６６によって反射されて、上方に光軸Ｌが折曲される。
最後に、下部プリズム６２から出射された撮像光は、フォーカスレンズ群２６のレンズ２５を介して、ＣＣＤ３１に入射され、一連の撮像動作が完了する。
【００６５】
以上より、本実施形態における撮像装置１によれば、複合プリズム６０が用いられているので、複合プリズム６０により、撮像光の光軸Ｌを略Ｕ字状と、略Ｌ字状とを組み合わせた形状に折曲させることで、電子カメラ２の形状に応じて撮像装置１の形状を設計変更することが可能となり、これによって、電子カメラ２を多様な形状に設計することができる。
【００６６】
さらに、第５実施形態について説明する。
本実施形態においては、図１７に示すように、略Ｌ字状の内部構成を有する撮像装置１における反射部材７０の一面上に、必要とされる光量に基づいた略円形状の反射部７１，７２，７３が設けられ、絞り部２１の機能を併せて有するようになっている。
以下、図１７及び図２０を参照しながら、第５実施形態について説明する。ただし、本実施形態は、上述した第１実施形態と比較すると、反射部材７０の構成のみが相違し、それ以外の構成部品については、第１実施形態と同様である。そこで、本実施形態においては、反射部材７０の構成を中心とした説明を行い、第１実施形態と同様の構成には、同様の符号を付してその詳細な説明を省略する。
【００６７】
反射部材７０は、板状部材からなり、その一面上には、図１８に示すように、黒色に塗りつぶされた反射防止部７４が設けられている。また、長手方向に沿った中心線上には、複数の反射部７１，７２，７３が配設されており、これら反射部７１，７２，７３は、それぞれ径寸法が異なるように形成されている。このような反射部材７０には、駆動機構（図示せず）が具備されており、この駆動機構によって、図１７に示すように、撮像光の光軸Ｌに対して４５°の角度を形成する方向にスライド移動するようになっている。これによって、絞り値の設定に基づいて反射部材７０をスライド移動させることにより、必要に応じた反射部７１，７２，７３に撮像光を照射及び反射させて、撮像光の光軸Ｌを折曲させるようになっている。
【００６８】
なお、反射部材７０に配設された反射部７１，７２，７３は、反射部毎に反射率が異なるように形成されていてもよい。これによって、設定された光量値に基づいて反射部材７０をスライド移動させることにより、最適な反射部を選択し、撮像光の光量を制御することができる。
【００６９】
また、上述した反射部材７０を、絞りの数値が固定された電子カメラに適用する場合には、図１９に示すように、反射防止部材７４が設けられた面上に、１つの反射部７５を形成すればよい。併せて、反射部材７０を駆動させる駆動機構が不要となるため、撮像装置１の内部構成の簡素化を図ることができる。
【００７０】
さらに、図２０に示すように、反射部材７０に内部に傾斜面７７が形成されたような形状のプリズム７６を用いてもよい。これによって、一部の撮像光がプリズム７６の内部の傾斜面７７に全反射され、残りの撮像光はプリズム７６を透過することで、光軸Ｌを折曲するとともに、光軸Ｌの角度を制御することができる。
【００７１】
以上より、本実施形態における撮像装置１によれば、径寸法の異なる３つの反射部７１，７２，７３を具備する反射部材７０が移動自在となっているので、設定された絞り値に基づいて反射部材７０を移動させることによって最適な反射部を選択する、すなわち、反射部材７０が絞り部２１の機能を併せて有することで、撮像装置１から絞り部２１及びＮＤフィルターを排除することが可能となり、これによって、多様な設計を可能にするとともに、カメラ全体の小型化及び製造コストの抑制を図ることができる。
【００７２】
また、反射部材７０に配設された反射部７１，７２，７３は、反射部毎に反射率が異なるように形成することで、設定された光量値に基づいて反射部材７０をスライド移動させることにより、最適な反射部を選択し、撮像光の光量を制御することが可能となり、これによって、ＮＤフィルターが不要となり、カメラ全体の小型化及び製造コストの抑制を図ることができる。
【００７３】
さらに、反射部材７０に内部に傾斜面７７が形成されたような形状のプリズム７６を用いることで、撮像光の光軸Ｌを折曲するとともに、撮像光の光軸Ｌの角度を制御することが可能となり、これによって、光軸Ｌの折曲角度を制御するための別の部材が不要となり、製造コストの抑制を図ることができる。
【図面の簡単な説明】
【００７４】
【図１】第１実施形態における電子カメラを示す斜視図である。
【図２】第１実施形態における電子カメラを示す背面図である。
【図３】第１実施形態における電子カメラを示す正面図である。
【図４】第１実施形態における撮像装置を示す正面図である。
【図５】第１実施形態における撮像装置を示す側面図である。
【図６】レンズが保持されたレンズ保持部及び移動軸を示す平面図である。
【図７】レンズの他の態様を示す平面図である。
【図８】レンズの他の態様を示す平面図である。
【図９】レンズが保持されたレンズ保持部及び移動軸の他の態様を示す平面図である。
【図１０】レンズが保持されたレンズ保持部及び移動軸の他の態様を示す平面図である。
【図１１】第２実施形態における撮像装置の構成を示す正面図である。
【図１２】第３実施形態における撮像装置の構成を示す正面図である。
【図１３】第３実施形態におけるレンズの他の構成を示す側面図である。
【図１４】第３実施形態におけるレンズの他の構成を示す側面図である。
【図１５】第４実施形態における撮像装置の構成を示す正面図である。
【図１６】第４実施形態における撮像装置の構成を示す側面図である。
【図１７】第５実施形態における撮像装置の構成を示す正面図である。
【図１８】第５実施形態における反射部材の構成を示す正面図である。
【図１９】第５実施形態における反射部材の構成を示す背面図である。
【図２０】第５実施形態における反射部材の構成を示す縦断面図である。
【図２１】従来技術における撮像装置の構成を示す概念図である。
【符号の説明】
【００７５】
１  撮像装置
２  電子カメラ
１０  撮像レンズ
１１，２２，５０，７６  プリズム
１２，２３，２４，４３，４４，５１，６３，６４，６５，６６  反射面
１３，２５  レンズ
１４  ズームレンズ群
１５，２７  レンズ保持部
１７  第１移動軸
２１  絞り部
２６  フォーカスレンズ群
２９  第２移動軸
３１  ＣＣＤ
３２  共有移動軸
４０  第１プリズム
４１  第２プリズム
５４  鏡面部材
６０  複合プリズム
６１  上部プリズム
６２  下部プリズム
７０  反射部材
７１，７２，７３，７５  反射部
７４  反射防止部
７６  変形プリズム
７７  傾斜面
Ｇ  撮像範囲
Ｌ  光軸
Ｘ  高さ方向
Ｙ  幅方向
Ｚ  厚さ方向
【図１】
2006171449.tif 000003
【図２】
2006171449.tif 000004
【図３】
2006171449.tif 000005
【図４】
2006171449.tif 000006
【図５】
2006171449.tif 000007
【図６】
2006171449.tif 000008
【図７】
2006171449.tif 000009
【図８】
2006171449.tif 000010
【図９】
2006171449.tif 000011
【図１０】
2006171449.tif 000012
【図１１】
2006171449.tif 000013
【図１２】
2006171449.tif 000014
【図１３】
2006171449.tif 000015
【図１４】
2006171449.tif 000016
【図１５】
2006171449.tif 000017
【図１６】
2006171449.tif 000018
【図１７】
2006171449.tif 000019
【図１８】
2006171449.tif 000020
【図１９】
2006171449.tif 000021
【図２０】
2006171449.tif 000022
【図２１】
2006171449.tif 000023